(57)【要約】【課題】既に設置されている防犯機能を備えていない機器や装置のボタンスイッチに簡易に取り付けるだけで、制御システムなどの変更をすることなく特定の利用者のみが利用のできる装置が求められる。実施例としてエレベータの呼び出しボタンスイッチに付加することで特定の利用者のみが利用のできる防犯機能を提供する。【解決手段】認証手段およびボタン組立体とロック手段とを備え、且つ機器や装置に設置の押しボタンスイッチに付加して取り付けができ、前記認証手段の認証信号で前記ボタン組立体が前記ロック手段によりロックを解除することで前記ボタン組立体を押下でき、機器や装置に設置された操作ボタンスイッチを、前記ボタン組立体を介して押下することを特徴とする電気錠付き押しボタン装置。【選択図】図４
2016021357.tif 000002
【特許請求の範囲】
【請求項１】
認証手段およびボタン組立体とロック手段とを備え、且つ機器や装置に設置の操作用ボタンスイッチと前記ボタン組立体が重なり合う位置に取り付けのできることを特徴とする電気錠付き押しボタン装置。
【請求項２】
前記認証手段の認証信号で前記ボタン組立体が前記ロック手段によりロックを解除され、前記ボタン組立体が押下できる状態になることを特徴とする請求項１に記載の電気錠付き押しボタン装置。
【請求項３】
機器や装置に設置された操作ボタンスイッチを、前記ボタン組立体を介して押下できることを特徴とする請求項１に記載の電気錠付き押しボタン装置。
【請求項４】
前記ボタン組立体のボタン部が光透過性を有する材料から成ることを特徴とする請求項２記載の電気錠付き押しボタン装置。
【請求項５】
前記認証手段が電子認証装置およびロック手段を電磁ソレノイドで構成される請求項１記載の電気錠付き押しボタン装置。
【発明の詳細な説明】
【技術分野】
【０００１】  本発明の技術分野は、機器や装置に設置された操作ボタンスイッチに重なる位置に取付けて、防犯機能を付加する電気錠付き押しボタン装置に関する。【０００２】  本発明の実施形態は、本発明の電気錠付き押しボタン装置を既に設置されたエレベータの操作ボタンスイッチ部分に取り付けることにより、エレベータの制御システムを変更することなく防犯機能が付加され、登録された認証者のみが利用できる。
【背景技術】
【０００３】  近年、安全性やセキュリティ保全の面から予め登録された特定の認証者のみが使用を許可される機器や装置が多くなっている。【０００４】  例えばビルやマンションに設置されたエレベータにおいては予め登録された居住者等が利用できることや、地下の駐車場から特定の階上へ許可された登録者のみがエレベータの呼び出しをできるように安全性の機能を備えたものが設置されている。【０００５】  しかしながら、安全性やセキュリティ保全の必要性や範囲はここ数年で拡大されているが、これらの登録機能を備えていない誰もが利用することのできる機器や装置が多く設置されている。【０００６】  本発明は、安全性やセキュリティの面から、登録機能を備えていないエレベータ等、機器や装置の操作ボタンスイッチに取付けることで制御システム等を変更することなく特定の登録された認証者のみが操作ボタンスイッチを押下することのできる電気錠付き押しボタン装置である。
【先行技術文献】
【特許文献】
【０００７】
【特許文献１】特開平０８−２４５１０１号公報
【発明の概要】
【発明が解決しようとする課題】
【０００８】  上述した、先行技術文献はエレベータ装置として制御システムを含めた防犯機能付エレベータ設置であり、既に設置されている防犯機能を備えていないエレベータに付加することはできない。【０００９】  そこで、実施例として既に設置されている防犯機能を備えていないエレベータに簡易に取付けられ、予め登録をしているなどの特定の利用者のみが利用できる防犯機能を備えた装置が求められる。
【課題を解決するための手段】
【００１０】  認証手段およびボタン組立体とロック手段とを備え、且つ機器や装置に設置の操作用ボタンスイッチと前記ボタン組立体が重なり合う位置に取り付けのできることを特徴とする電気錠付き押しボタン装置。【００１１】  前記認証手段の認証信号で前記ボタン組立体が前記ロック手段によりロックを解除され、前記ボタン組立体が押下できる状態になることを特徴とする電気錠付き押しボタン装置。【００１２】  機器や装置に設置された操作ボタンスイッチを、前記ボタン組立体を介して押下できることを特徴とする電気錠付き押しボタン装置。【００１３】  前記ボタン組立体のボタン部が光透過性を有する材料から成ることを特徴とする電気錠付き押しボタン装置。【００１４】  前記認証手段が電子認証装置およびロック手段を電磁ソレノイドで構成される電気錠付き押しボタン装置。
【発明の効果】
【００１５】  既に設置されている防犯機能を備えていない機器や装置の操作ボタンスイッチに取り付けることで、制御システムを変更することなく特定の利用者のみが利用できる機器や装置に容易に変更ができる。
【図面の簡単な説明】
【００１６】
【図１】通常のエレベータ呼出し用の操作ボタンの設置を示す図である。
【図２】本発明の電気錠付き押しボタン装置を通常のエレベータ呼出し用操作ボタンスイッチに重ねて取付けた状態を示す図である。
【図３】同実施形態における電気錠付き押しボタン装置の正面斜視図である。
【図４】同実施形態における電気錠付き押しボタン装置の背面からの部品構成を示す図である。
【図５】本発明の実施形態に係る電気錠付き押しボタン装置の処理動作を示すフローチャートで、カード認証からボタン組立体の押下できるまでの動作の流れを示している。
【図６】実施形態における電気錠付き押しボタン装置のボタン組立体がロックされている状態を示す側面図である。
【図７】図６におけるボタン組立体のロック状態を拡大した図である。
【図８】実施形態における電気錠付き押しボタン装置のボタン組立体がロック解除されている状態を示す側面の断面図である。
【発明を実施するための形態】
【００１７】  以下に実施するための形態として、設置されているエレベータの呼び出し用操作ボタンスイッチに本発明の電気錠付き押しボタン装置を付加した実施例を図面に基づいて説明する。
【００１８】  図１に示す、通常のエレベータ装置は利用者が呼び出し用の操作ボタンスイッチ７を押下してエレベータを呼び出すことができる。
【００１９】  図２は本発明の電気錠付き押しボタン装置１を前記操作ボタンスイッチ７に重ねて取付けた一例で、図３は一例の電気錠付き押しボタン装置１の斜視図である。予め登録されている利用者がエレベータ利用時に所持しているＩＤカードを翳すための認証装置２と認証されたことを表示する表示灯８および認証されると利用者が押下することのできるボタン部４を配置している。
【００２０】  図４は電気錠付き押しボタン装置１の部品構成図で、ＩＤカードの認証信号と予め入力されている利用者の認証データを照合する認証手段２と、認証判断のための信号処理部３、および通常はロックされた状態で利用者が認証された場合にのみ押下できるボタン組立体４と、ロックを解除するための電磁ソレノイド５含めたロック手段とを備えている。
【００２１】  図５に本実施例での信号処理動作をフローチャートで示す。認証手段２の所定位置に特定の利用者が所持しているＩＤカードを翳すと、予め利用者の認証データが入力されている信号処理部３にカードＩＤ信号として伝送され、認証データに合致するか否かを判断する。
【００２２】  ＩＤ信号が認証データに合致すると判断した場合には、信号処理部３から開錠信号が電磁ソレノイド５に伝送され電源を停止する。電源の停止でロック状態にあるボタン組立体４はロック手段の電磁ソレノイド５で解除され、同時に解除信号は利用者が認証されたことを表示する表示灯８を点灯させる。ＩＤ信号が認証されない場合には、未処理データとしてボタン組立体４のロックは解除されず、また表示灯８も点灯されない。
【００２３】  図６は電気錠付き押しボタン装置１のボタン組立体４がロック手段でロックをされている状態を示す図で、ボタン組立体４はボタン部６、ロック板１３、ボタンヒンジ部１５、で構成され各部品が一体化して固定されている。
【００２４】  ロック手段は、回転可能に小径ベアリングなどを利用した複数のローラ１２を取付けたローラ固定板１４を連結レバー９と一体化し、電磁ソレノイド５の鉄芯１８に直結している。連結レバー９は本体１６に取付けのガイドローラ１１でガイドされ、鉄芯１８の動きで所定の位置を作動する。
【００２５】  前記ボタン組立体４は通常では通電状態にある前記ロック手段の電磁ソレノイド５の鉄芯１８が吸着さている位置で、連結レバー９に固定されている複数のローラ１２がボタン組立体４と一体化したロック板１３と重なる位置にあるためボタン部６は押下されても作動できずロック状態にある。
【００２６】  ボタン組立体４のロック解除は、利用者のＩＤカードが認証されると前記開錠信号によりロック手段の電磁ソレノイド５への通電が停止し、電磁ソレノイド５の鉄芯１８は吸着状態から解放され引張りばね１０でばね方向に作動する。鉄芯１８と直結している連結レバー９と複数のローラ１２も同方向に作動し、ローラ１２はボタン組立体４のロック板１３の重なりから移動してロック状態を解かれる。ロックを解かれたボタン組立体４のボタン部６を利用者が押下することでボタンヒンジ部１５を軸に作動し、既に設置されている呼び出しボタン７と重なり合う位置に取付けているためボタン組立体４を介してエレベータ呼び出用の操作ボタン７を押しこむことができる。
【００２７】  ボタン部６は透明の樹脂など光透過性の良い材料から成り、利用者が押下すると既に設置されている呼び出しボタン７も押されるため点灯し、光がボタン部６を透過して利用者への表示となる。
【００２８】  本発明の電気錠付き押しボタン装置１の取付けは図７に示すとおり、既に設置されている呼び出しボタンスイッチ７にボタン組立体４のボタン部６を重ね合わせの位置で、例えばセメント壁の場合には工事用のアンカーボルト１７などで取付けて固定する。
【符号の説明】
【００２９】    １    電気錠付押しボタン装置
２    認証装置
３    信号処理部
４    ボタン組立体
５    電磁ソレノイド
６    ボタン部
７    操作ボタンスイッチ
８    表示灯
９    連結レバー
１０  引張りばね
１１  ガイドローラ
１２  ローラ
１３  ロック板
１４  ローラ固定板
１５  ボタンヒンジ部
１６  本体
１７  アンカーボルト
１８  鉄芯
【図１】
2016021357.tif 000003
【図２】
2016021357.tif 000004
【図３】
2016021357.tif 000005
【図４】
2016021357.tif 000006
【図５】
2016021357.tif 000007
【図６】
2016021357.tif 000008
【図７】
2016021357.tif 000009
【図８】
2016021357.tif 000010